(57)【要約】【課題】吸音体が吸収できる音の周波数帯域を拡大可能とした吸音体、および、吸音構造を提供する。【解決手段】開口部と底部１４とを有した有底筒状を有する複数の本体１０と、各開口部を覆う多孔質シート２０と、を備える。各本体１０は、大筒部１１、小筒部１２、および、これらを連結するフランジ１３を備え、開口部と底部１４との間に位置するフランジ１３に、多孔質シート２０が備える細孔よりも大きく、かつ、本体１０を貫通する少なくとも１つの孔１３Ｈを備える。【選択図】図１
2018132676.tif 000002
【特許請求の範囲】
【請求項１】
開口部と底部とを有した有底筒状を有する本体と、
前記開口部を覆う多孔質シートと、を備え、
前記本体は、前記開口部と前記底部との間に、前記多孔質シートが備える孔よりも大きく、かつ、前記本体を貫通する少なくとも１つの孔を備える
吸音体。
【請求項２】
複数の前記本体と、
相互に隣り合う前記本体において前記開口部同士を結合するヒンジと、を備える
請求項１に記載の吸音体。
【請求項３】
前記本体は、振動を可能とする筒状の膜構造体である
請求項１または２に記載の吸音体。
【請求項４】
前記本体は、二段の逆錐台筒状を有し、前記開口部を有する大筒部、前記底部を有する小筒部、および、前記小筒部の径方向外側に向けて広がり、前記大筒部と前記小筒部とを接続するフランジとを備え、
前記孔は、前記底部と対向する方向から見て、前記フランジを貫通する
請求項１から３のいずれか一項に記載の吸音体。
【請求項５】
前記多孔質シートは、不織布、織布、和紙、発泡体のいずれか１つである
請求項１から４のいずれか一項に記載の吸音体。
【請求項６】
前記本体は、前記開口部と前記底部とを接続する筒部を備え、
前記筒部は、前記開口部から前記底部に向けた方向に延びるリブを備える
請求項１から５のいずれか一項に記載の吸音体。
【請求項７】
複数の前記本体と、
前記各底部と対向し、かつ、前記各底部に共通する１つの壁部とを備える
請求項１から６のいずれか一項に記載の吸音体。
【請求項８】
開口部と底部とを有した有底筒状を有する複数の本体と、
前記各開口部を覆う多孔質シートと、
前記各底部と対向し、かつ、前記各底部に共通する１つの壁部と、を備え、
前記各本体は、当該本体において、前記開口部と前記底部との間に、前記多孔質シートが備える孔よりも大きく、かつ、前記本体を貫通する少なくとも１つの孔を備える
吸音構造。
【発明の詳細な説明】
【技術分野】
【０００１】
本発明は、音を吸収する構造を備える吸音体、および、吸音構造に関する。
【背景技術】
【０００２】
上記吸音体の一例として、車両のエンジンが発生させる騒音を抑える装置が知られている（例えば、特許文献１を参照）。この類の吸音体は、例えば、不織布を含む吸音材と、薄板状の反射材に二次元的に並ぶ複数の有底筒状セルとを備える。各有底筒状セルにおける一方の開口面は、吸音材の一面と接合し、各有底筒状セルにおける他方の開口面は、板材の一面と接合する。そして、音源と対向するように吸音材が配置され、吸音材と有底筒状セルとの協働によって、音源が発生させる騒音を吸音体が吸音する。
【先行技術文献】
【特許文献】
【０００３】
【特許文献１】特開２００５−３１２４１号公報
【発明の概要】
【発明が解決しようとする課題】
【０００４】
ところで、上述した吸音体が吸音できる周波数帯域は、吸音材が有する目付や厚み、および、有底筒状セルが有する高さや開口サイズによって、高周波数帯域、あるいは、低周波数帯域のいずれかに定められる。一方、吸音体の吸収に求められる周波数帯域は、高周波数帯域と低周波数帯域との両方にもわたる場合があるため、上述した吸音体においては、吸音体が吸収できる音の周波数帯域を拡大することが望まれている。
本発明は、上記課題に鑑みてなされたものであり、吸音体が吸収できる音の周波数帯域を拡大可能とした吸音体、および、吸音構造を提供することを目的とする。
【課題を解決するための手段】
【０００５】
上記課題を解決するための吸音体は、開口部と底部とを有した有底筒状を有する本体と、前記開口部を覆う多孔質シートと、を備える。前記本体は、前記開口部と前記底部との間に、前記多孔質シートが備える孔よりも大きく、かつ、前記本体を貫通する少なくとも１つの孔を備える。
上記構成によれば、開口部を覆う多孔質シートが、高周波数帯域の音を吸収する多孔質型の吸音を行い、かつ、本体を貫通する孔が、低周波数帯域の音を吸収する共鳴構造型の吸音を行う。それゆえに、多孔質型の吸音のみが行われる吸音体と比べて、吸音体が吸収できる音の周波数帯域を拡大することが可能となる。
【０００６】
上記吸音体は、複数の前記本体と、相互に隣り合う前記本体において前記開口部同士を結合するヒンジとを備えてもよい。この構成によれば、相互に隣り合う本体がヒンジによって折れ曲がるため、吸音体の配置される面の形状に各本体の位置を追従させることが可能となる。結果として、上述した吸音体が適用される構造の範囲を拡張すること、また、吸音体の配置される面に向けた音を効果的に吸音すること、これらが可能ともなる。
【０００７】
上記吸音体において、前記本体は、振動を可能とする筒状の膜構造体であることも可能である。この構成によれば、筒状の膜構造体である本体が膜振動型の吸音を行う。そのため、上述した多孔質型の吸音によって吸収される音、および、上述した共鳴構造型の吸音によって吸収される音、これらとは周波数帯域が異なる別の音を、膜振動型の吸音によって、さらに吸収することが可能ともなる。
【０００８】
上記吸音体において、前記本体は、二段の逆錐台筒状を有し、前記開口部を有する大筒部、前記底部を有する小筒部、および、前記小筒部の径方向外側に向けて広がり、前記大筒部と前記小筒部とを接続するフランジとを備え、前記孔は、前記底部と対向する方向から見て、前記フランジを貫通してもよい。この構成において、小筒部の周囲には、大筒部と小筒部との大きさの差異に相当する空間が広がる。こうした空間は、フランジの孔と面する空間であり、上述した共鳴構造型の吸音を好適に発現させる。なお、吸音体の製造に際しては、例えば、底部から開口部に向けて進行するレーザなどを、小筒部の周囲に位置する空間を通じてフランジに照射し、それによって、上述した孔を形成することが可能ともなる。そのため、本体が形成された後であっても、また、本体の開口部が多孔質シートによって覆われた後であっても、上述した孔を本体に形成することが可能ともなる。
【０００９】
上記吸音体において、前記多孔質シートは、不織布、織布、和紙、発泡体のいずれか１つであってもよい。この構成によれば、多孔質型の吸音を好適に発現させることが可能ともなる。
【００１０】
上記吸音体において、前記本体は、前記開口部と前記底部とを接続する筒部を備え、前記筒部は、前記開口部から前記底部に向けた方向に延びるリブを備えてもよい。この構成によれば、筒部における機械的な強度が、リブによって高められる。そのため、吸音体の構造を安定させること、ひいては、上述した効果が得られる再現性を高めることが可能ともなる。
【００１１】
上記吸音体は、複数の前記本体と、前記各底部と対向し、かつ、前記各底部に共通する１つの壁部とを備えてもよい。この構成によれば、各底部に共通する１つの壁部を吸音体が備えるため、複数の本体を備える吸音体において、それの運搬や取り付けを容易なものとすることが可能ともなる。
上記課題を解決するための吸音構造は、開口部と底部とを有した有底筒状を有する複数の本体と、前記各開口部を覆う多孔質シートと、前記各底部と対向し、かつ、前記各底部に共通する１つの壁部と、を備え、前記各本体は、当該本体において、前記開口部と前記底部との間に、前記多孔質シートが備える孔よりも大きく、かつ、前記本体を貫通する少なくとも１つの孔を備える。
上記構成によれば、開口部を覆う多孔質シートが、高周波数帯域の音を吸収する多孔質型の吸音を行い、かつ、本体を貫通する孔が、低周波数帯域の音を吸収する共鳴構造型の吸音を行う。それゆえに、多孔質型の吸音のみが行われる吸音構造と比べて、吸音体が吸収できる音の周波数帯域を拡大することが可能となる。
【図面の簡単な説明】
【００１２】
【図１】一実施形態における吸音体の下面構造を示す斜視図。
【図２】一実施形態における吸音体の上面構造を示す斜視図。
【図３】一実施形態における吸音体の下面構造を示す下面図。
【図４】図３の４−４線断面図。
【図５】図３の５−５線断面図。
【図６】一実施形態における吸音体の作用を示す作用図。
【図７】各試験例における吸音特性を示すグラフ。
【発明を実施するための形態】
【００１３】
図１から図７を参照して、吸音体の一実施形態を説明する。まず、吸音体が備える構成を説明し、次いで、吸音体の作用を説明し、そして、吸音体が備える構成による効果を示す各試験例での吸音率の測定結果を説明する。
【００１４】
図１、および、図２が示すように、吸音体は、第１シート加工体１０Ｓと、第２シート加工体２０Ｓとの積層体を備える。第１シート加工体１０Ｓは、例えば、樹脂製シートの加工体であり、第２シート加工体２０Ｓは、例えば、不織布、織布、和紙、発泡体のいずれか１つから構成されるシートの加工体である。第１シート加工体１０Ｓは、複数の本体１０を備える。第２シート加工体２０Ｓは、各本体１０に１つずつの多孔質シート２０を備える。１つの本体１０と、その本体１０に対応する１つの多孔質シート２０とが、１つの吸音体要素を構成する。各吸音体要素は、相互に直交する第１方向Ｄ１、および、第２方向Ｄ２に沿って、二次元に配列される。第１方向Ｄ１において相互に隣り合う吸音体要素、および、第２方向Ｄ２において相互に隣り合う吸音体要素は、ヒンジ３０によって結合されている。
【００１５】
図１が示すように、各本体１０は、二段の逆錘台筒状を有した膜構造体であり、大筒部１１、小筒部１２、および、フランジ１３を備える。大筒部１１は、本体１０の開口部である開口部１１Ｈ（図２参照）を有する四角筒状を有する。また、小筒部１２は、本体１０の底部１４を備える四角筒状を有する。フランジ１３は、小筒部１２の開口部における各辺から、小筒部１２の径方向外側に向けて広がり、小筒部１２と大筒部１１とに接続される。フランジ１３は、底部１４と対向する方向から見て、フランジ１３を貫通する孔１３Ｈを備える。各孔１３Ｈの大きさは、多孔質シート２０が備える細孔よりも十分に大きいサイズである。
【００１６】
大筒部１１の周壁１１Ｗ、小筒部１２の周壁１２Ｗ、および、フランジ１３は、本体１０が備える１つの筒部１０Ｗを構成する。筒部１０Ｗは、二段の四角筒状を有し、大筒部１１が備える開口部１１Ｈと、小筒部１２が備える底部１４とを接続する。筒部１０Ｗは、底部１４の各角部から、本体１０の開口部に向けて延びるリブ１１Ｒを備える。リブ１１Ｒは、本体１０の内側に向けて窪む凹条リブであり、大筒部１１の筒部１０Ｗが備える４つの面の各々に１つずつ位置する。
【００１７】
図２が示すように、各大筒部１１が備える開口部１１Ｈは、別々の多孔質シート２０によって覆われる。多孔質シート２０は、上述したように、例えば、不織布、織布、和紙、発泡体のいずれか１つから構成され、多孔質シート２０が備える細孔の大きさは、孔１３Ｈよりも十分に小さいサイズである。多孔質シート２０と対向する方向から見て、各開口部１１Ｈは、四角枠状を有し、各多孔質シート２０は、四角シート状を有する。各ヒンジ３０は、第１シート加工体１０Ｓの一部と、第２シート加工体２０Ｓの一部との溶着部として構成される。各ヒンジ３０は、各開口部１１Ｈを縁取る四角枠状を有する。各ヒンジ３０は、ヒンジ３０に沿う折り曲げ軸で折れ曲がる可撓性を有し、ヒンジ３０によって結合される二つの本体１０に対して、ヒンジ３０での折り曲げによる変位を許容する。
【００１８】
各ヒンジ３０は、例えば、本体１０の開口部１１Ｈを縁取る部分が、第２シート加工体２０Ｓに熱溶着されることによって形成される。上述した各本体１０は、例えば、第１シート加工体１０Ｓを形成するための樹脂製シートの一部が、本体１０を形成するための型のなかに吸引される、いわゆる真空成型によって形成される。各ヒンジ３０を形成するための熱溶着と、各本体１０を形成するための真空成型とは、同時に行うことも可能である。なお、上述した各本体１０は、例えば、第１シート加工体１０Ｓを形成するための樹脂製シートの一部が、本体１０を形成するための型によってプレスされる、いわゆるプレス成型によって形成することも可能である。この際、各本体１０を形成するためのプレス成型が行われた後に、各ヒンジ３０を形成するための熱溶着が行われる。
【００１９】
図３が示すように、底部１４と対向する方向から見て、大筒部１１と小筒部１２とは、同一中心軸上に位置する。大筒部１１が備える中心軸を中心とする周方向において、大筒部１１は、４つの角部を備え、小筒部１２もまた、４つの角部を備える。大筒部１１が備える角部の位置と、小筒部１２が備える角部の位置とは、中心軸を中心として相互に異なる。小筒部１２が有する形状は、例えば、中心軸を中心として、大筒部１１が有する形状を４５°だけ回転させた形状と相似形である。
ここで、上述した吸音体は、例えば、車室の内張りなどの壁部と音源との間に配置される。この際、本体１０の底部１４と壁部とが、相互に対向するように、吸音体は配置され、壁部から受ける押圧力や、音源側から受ける押圧力が、本体１０を潰すように作用する場合がある。この点、大筒部１１が備える各角部と、小筒部１２が備える各角部とが、中心軸の周方向で、相互に異なる位置であるため、これらの角部のように、上記押圧力に対して機械的に高い強度を備える部分が、本体１０において、周方向に分散する。そのため、本体１０が潰れる方向への押圧力に対して、本体１０の形状を維持することが可能ともなる。
【００２０】
底部１４と対向する方向から見て、各フランジ１３は、三角板状を有する。各フランジ１３が有する三角板状は、小筒部１２が備える開口部の各辺を底辺とし、大筒部１１の角部を頂点とする。本体１０は、４つのフランジ１３を備え、４つのフランジ１３のうち、対角線上に位置する２つのフランジ１３が、１つずつ孔１３Ｈを備える。
【００２１】
各リブ１１Ｒは、底部１４の各角部から、その角部と対向するヒンジ３０まで延び、かつ、ヒンジ３０の延在方向と直交する方向に延びる。ここで、ヒンジ３０が折り曲げられるとき、ヒンジ３０と一体である本体１０は、このヒンジ３０の変形に伴って、撓みや伸びを生じやすい。この際、上述したように、ヒンジ３０に接続されるリブ１１Ｒは、ヒンジ３０の延在方向と直交する方向に延びるため、ヒンジ３０の変形に伴う撓みや伸びは、本体１０において抑えられ、本体１０の形状を維持することが可能ともなる。
【００２２】
図４が示すように、大筒部１１は、高さＨ１を備え、小筒部１２は、高さＨ１よりも大きい高さＨ２を備える。なお、大筒部１１が有する高さＨ１は、小筒部１２が有する高さＨ２と同じであってもよいし、小筒部１２が有する高さＨ２よりも大きくてもよい。大筒部１１が有する高さＨ１と、小筒部１２が有する高さＨ２とは、本体１０を形成するための型の変更によって、適宜変更することが可能である。
底部１４が有する厚さＴ１は、本体１０の筒部１０Ｗが有する厚さと同じであってもよいし、本体１０の筒部１０Ｗが有する厚さＴ２と異なってもよい。また、底部１４が有する厚さＴ１は、ヒンジ３０が有する厚さＴ３と同じであってもよいし、ヒンジ３０が有する厚さと異なってもよい。底部１４が有する厚さＴ１、本体１０の筒部１０Ｗが有する厚さＴ２、および、ヒンジ３０が有する厚さＴ３は、例えば、真空成型やプレス成型によって本体１０を形成する際の成型条件、熱溶着によってヒンジ３０を形成する際の形成条件、これらの変更によって、適宜変更することが可能である。大筒部１１が有する高さＨ１、小筒部１２が有する高さＨ２、底部１４が有する厚さＴ１、筒部１０Ｗが有する厚さＴ２は、本体１０に求められる吸音での周波数帯域と、本体１０に求められる機械的な強度とに応じて適宜設定される。
【００２３】
図５が示すように、各フランジ１３が広がる方向は、底部１４が広がる方向とほぼ平行である。これらが広がる方向において、各フランジ１３が有する面積Ｓ３は、底部１４が有する面積Ｓ４よりも小さい。なお、フランジ１３が有する面積Ｓ３は、底部１４が有する面積Ｓ４と同じであってもよいし、底部１４が有する面積Ｓ４よりも大きくてもよい。各フランジ１３が有する面積Ｓ３、および、底部１４が有する面積Ｓ４は、本体１０を形成するための型の変更によって、適宜変更することが可能である。
【００２４】
吸音体の製造方法としては、例えば、第１シート加工体１０Ｓを形成するための樹脂製シートに、まず、孔１３Ｈを形成し、その後、孔１３Ｈが形成された樹脂製シートから本体１０の形状を得るという方法も採用可能である。ただし、この場合、真空成型やプレス成型などを用いて本体１０の形状が得られるため、既に加工されている孔１３Ｈの形状や大きさが、それの設計寸法から変わる場合がある。この点、上述した構造のように、小筒部１２の開口部からその外側に向けてフランジ１３が広がり、底部１４と対向する方向から見て、フランジ１３が露出している構造であれば、まず、樹脂製シートから本体１０の形状を得て、その後、フランジ１３にレーザＬを照射して孔１３Ｈを形成する方法を採用することが可能ともなる。結果として、孔１３Ｈが有する形状や、孔１３Ｈが有する大きさについて、その精度を高めることが可能ともなる。これら、フランジ１３が有する大きさ、底部１４が有する大きさ、孔１３Ｈが有する形状、孔１３Ｈが有する大きさは、本体１０に求められる吸音での周波数帯域と、孔１３Ｈに求められる吸音での周波数帯域とに応じて、適宜設定される。
【００２５】
次に、上述した吸音体の作用を説明する。
図６が示すように、吸音体の外部から多孔質シート２０に伝播した音は、多孔質シート２０が有する細孔内の空気に伝播し、多孔質シート２０を構成する繊維などの振動や、それとの摩擦などに消費される。結果として、多孔質シート２０に伝播した音は、多孔質シート２０によってその一部を吸音される。こうした多孔質型の吸音は、例えば、高周波帯域の音を吸音する。
【００２６】
多孔質シート２０を通じて本体１０の内部に伝播した音は、本体１０内の空気に伝播し、本体１０を構成する筒部１０Ｗの膜構造において、それの振動に消費される。結果として、多孔質シート２０に吸音されず本体１０内に伝播した音は、本体１０を構成する膜構造によってその一部を吸音される。この際、多孔質シート２０が行う吸音に関わる構造や、その型式である多孔質型と、本体が行う吸音に関わる構造や、その型式である膜振動型とは、相互に異なる。そのため、これらによって吸音される周波数帯域もまた、相互に異なる。こうした膜振動型の吸音は、多孔質型の吸音よりも低い周波数帯域の音を吸音する。
【００２７】
本体１０の内部から本体１０の外部に伝播する音は、本体１０を構成する孔１３Ｈを通じる空気に伝播し、小筒部１２の周囲である空間と孔１３Ｈとから構成される系において、消費される。すなわち、孔１３Ｈを有するフランジ１３、および、このフランジ１３と壁部Ｗとに挟まれた空間を含む本体１０の周囲が、ヘルムホルツ共鳴器Ｋとして機能する。結果として、本体１０の内部から本体１０の外部に伝播する音は、小筒部１２の周囲である空洞と孔１３Ｈとから構成される系によって、その一部を吸音される。この際、吸音に関わる孔１３Ｈの構造や、その型式である共鳴構造型と、本体１０および多孔質シート２０が行う吸音に関わる構造や、その型式とは、相互に異なる。そのため、これらによって吸音される周波数帯域もまた、相互に異なる。こうした共鳴構造型の吸音は、膜振動型の吸音よりもさらに低い周波数帯域の音を吸音する。上述した大筒部１１の高さＨ１と、小筒部１２の高さＨ２との総和は、本体１０内の空気層が有する高さであり、特に、この空気層が有する高さを十分に確保できない場合、上述した多孔質型の吸音や膜振動型の吸音では、低周波数帯域の音を吸収し難い。この点、孔１３Ｈを備える吸音体であれば、上記空気層が有する高さが十分に確保されない場合であっても、上述した共鳴構造型の吸音によって、低周波数帯域の音が吸収される。
【００２８】
［試験例］
樹脂製シートとしてポリプロピレンシートを用い、孔１３Ｈを有しない第１シート加工体１０Ｓを得た。これによって、孔１３Ｈ、および、第２シート加工体２０Ｓを備えない吸音体として、試験例１を得た。また、試験例１の第１シート加工体１０Ｓに孔１３Ｈを加工し、これによって、孔１３Ｈを備え、かつ、第２シート加工体２０Ｓを備えない吸音体として、試験例２を得た。また、試験例２の第１シート加工体１０Ｓに不織布を熱溶着し、これによって、孔１３Ｈ、および、第２シート加工体２０Ｓを備える吸音体として、試験例３を得た。次いで、試験例１、試験例２、および、試験例３の各々について、ＩＳＯ３４５に準拠した残響室法吸音率を測定した。各試験例を用いた残響室法吸音率の測定結果を図７に示す。なお、残響室法吸音率の測定においては、一般に、人の可聴域のなかで特に聞こえやすい８００Ｈｚから５０００Ｈｚを中心として測定を行った。
【００２９】
図７が示すように、試験例２の残響室法吸音率は、試験例１の残響室法吸音率よりも、８００Ｈｚから５０００Ｈｚまでの範囲において高く、その中で低周波数帯域側である特に８００Ｈｚから２０００Ｈｚまでの範囲において、大幅な向上が認められた。また、試験例３の残響室法吸音率は、試験例２の残響室法吸音率よりも、１０００Ｈｚから５０００Ｈｚまでの範囲において高く、特に１０００Ｈｚから４０００Ｈｚまでの範囲において、大幅な向上が認められた。結果として、多孔質シート２０を備える構成によって、高周波数帯域側での吸音性能が高められ、また、孔１３Ｈを備える構成によって、低周波数帯域側での吸音性能が高められることが認められた。
【００３０】
以上、上記実施形態によれば、以下に列挙する効果を得ることが可能となる。
（１）開口部１１Ｈを覆う多孔質シート２０が、高周波数帯域の音を吸音する多孔質型の吸音を行い、かつ、本体１０を貫通する孔１３Ｈが、低周波数帯域の音を吸音する共鳴構造型の吸音を行う。それゆえに、多孔質型の吸音のみが行われる吸音体と比べて、吸音体が吸音できる周波数帯域を拡大することが可能となる。
【００３１】
（２）相互に隣り合う本体１０がヒンジ３０によって折れ曲がるため、吸音体の配置される面の形状に各本体１０の位置を追従させることが可能となる。結果として、吸音体が適用される壁部などの構造の範囲を拡張すること、また、吸音体の配置される壁部などに向けた音を効果的に吸音すること、これらが可能ともなる。
【００３２】
（３）多孔質シート２０によって吸収される音、および、孔１３Ｈによって吸収される音、これらとは周波数帯域が異なる別の音を、本体１０による膜振動型の吸音によって、さらに吸収することが可能ともなる。
【００３３】
（４）小筒部１２の周囲には、大筒部１１と小筒部１２との大きさの差異に相当する空間が広がる。こうした空間は、孔１３Ｈと面する空間であり、上述した共鳴構造型の吸音を好適に発現させる。
【００３４】
（５）吸音体の製造に際しては、底部１４から開口部１１Ｈに向けて進行するレーザなどをフランジ１３に照射し、それによって、孔１３Ｈを形成することが可能ともなる。そのため、本体１０が形成された後であっても、また、開口部１１Ｈが多孔質シート２０によって覆われた後であっても、孔１３Ｈを本体１０に形成することが可能ともなる。
【００３５】
（６）筒部１０Ｗにおける機械的な強度が、リブ１１Ｒによって高められる。そのため、吸音体の構造を安定させること、ひいては、（１）から（５）に準じた効果を得ることの再現性を高めることが可能ともなる。
【００３６】
上記実施形態は、以下のように変更して実施することが可能である。
［吸音体］
・吸音体は、上述した１つの吸音体要素のみから構成されることも可能である。すなわち、吸音体が備える本体１０は１つであり、吸音体が備える多孔質シート２０は１つであることも可能である。吸音体が備える吸音要素の数量や、吸音体において吸音要素が並ぶ方向は、吸音体が適用される空間の大きさや形状に基づき、適宜変更されるものである。
【００３７】
・吸音体は、相互に異なる大きさを有した複数の吸音体要素を備えることも可能であり、相互に異なる形状を有した複数の吸音体要素を備えることも可能である。吸音体が備える複数の吸音体要素のなかに、相互に異なる大きさを備えた本体１０が含まれることも可能であり、相互に異なる材料から構成される多孔質シート２０が含まれることも可能である。
【００３８】
［本体１０］
・本体１０が備える筒部１０Ｗは、例えば、上述したフランジ１３が割愛され、かつ、段差を有しない形状に具体化することも可能である。この際、本体１０が備える孔１３Ｈは、筒部１０Ｗの径方向に沿って筒部１０Ｗを貫通する形状を備える。
【００３９】
・本体１０が備える筒部１０Ｗの形状は、三段以上の多段筒状に具体化することも可能である。この際、本体１０が備える孔１３Ｈは、筒部１０Ｗが備える各段のフランジに位置することも可能である。
【００４０】
・大筒部１１が備える形状は、逆円錐台筒状、逆多角錐台筒状、円筒状、多角筒状のいずれに具体化することも可能である。小筒部１２が備える形状は、逆円錐台筒状、逆多角錐台筒状、円筒状、多角筒状、逆円錐状、逆角錐状のいずれに具体化することも可能である。なお、小筒部１２が備える形状が逆錐状である場合、本体１０が備える底部は、小筒部１２が備える底端部である。
【００４１】
［リブ１１Ｒ］
・本体１０が備えるリブ１１Ｒの数量は、大筒部１１の各側面に２つ以上とすることも可能であり、また、リブ１１Ｒが割愛された側面を大筒部１１が備えることも可能である。
【００４２】
・本体１０が備えるリブ１１Ｒの形状は、本体１０の外側に向けて突き出る突条に具体化することも可能である。また、１つの本体１０が、リブ１１Ｒとして、凸リブと凹リブとの組み合わせを備えることも可能である。
・リブ１１Ｒは、小筒部１２から割愛され、大筒部１１のみに位置することも可能であり、反対に、大筒部１１から割愛され、小筒部１２のみに位置することも可能である。
【００４３】
［孔１３Ｈ］
・本体１０が備える孔１３Ｈは、例えば、筒部１０Ｗの径方向に沿って筒部１０Ｗを貫通する形状を備えることも可能である。
・本体１０が備える孔１３Ｈの数量は、１つとすることも可能であり、また、３つ以上とすることも可能である。
【００４４】
・１つの本体１０は、相互に異なる形状を有した孔１３Ｈを備えることも可能であり、相互に異なる大きさを有した孔１３Ｈを備えることも可能である。また、吸音体は、相互に異なる形状を有した孔１３Ｈを別々に備える複数の本体１０を備えることも可能であり、相互に異なる大きさを有した孔１３Ｈを別々に備える複数の本体１０を備えることも可能である。
【００４５】
［その他］
・吸音体は、複数の本体１０と、各底部１４と対向し、かつ、各底部１４に共通する１つの壁部とを備えることも可能である。壁部は、例えば、車室の内張りなどとして機能する。このように、壁部をさらに備える構成によれば、各底部１４に共通する１つの壁部を吸音体が備えるため、複数の本体１０を備える吸音体において、それの運搬や取り付けを容易なものとすることが可能ともなる。
［吸音構造］
・吸音構造は、上述した複数の本体、多孔質シート、および、各本体が備える底部と対向し、かつ、各底部に共通する１つの壁部を備える。各本体は、上述したように、開口部と底部とを有した有底筒状を有し、多孔質シートは、各開口部を覆う。そして、各本体は、開口部と底部との間に、多孔質シートが備える孔よりも大きく、かつ、本体を貫通する少なくとも１つの孔を備える。このような吸音構造においても、上記（１）から（６）に準じた効果が得られ、また、吸音構造の運搬や取り付けを容易なものとすることが可能ともなる。例えば、自動車の内装などに本吸音構造を設置する場合、内装トリムボードに本体を取り付けることによって、本体と内装トリムボードとの間で共鳴構造型の吸音を行うことが可能である。また、壁部は、内装トリムボードに限らず、ボディパネルに具体化することも可能である。
【符号の説明】
【００４６】
Ｄ１…第１方向、Ｄ２…第２方向、Ｈ１，Ｈ２…高さ、Ｔ１…厚さ、１０…本体、１０Ｓ…第１シート加工体、１０Ｗ…筒部、１１…大筒部、１１Ｈ…開口部、１２…小筒部、１１Ｗ，１２Ｗ…周壁、１３…フランジ、１３Ｈ…孔、１４…底部、２０…多孔質シート、２０Ｓ…第２シート加工体、３０…ヒンジ。
【図１】
2018132676.tif 000003
【図２】
2018132676.tif 000004
【図３】
2018132676.tif 000005
【図４】
2018132676.tif 000006
【図５】
2018132676.tif 000007
【図６】
2018132676.tif 000008
【図７】
2018132676.tif 000009